(57)【特許請求の範囲】
【請求項１】
スーパー・ピクセルを有するディスプレイ・モジュールであって、
各発光素子がアノード及びカソードを有する発光素子のマトリクスと、
前記マトリクス内の前記発光素子に電気的に接続する行及び列によって定義された電気接続を有する駆動回路と、を備え、
電気接続のｉ個の隣接する行のグループが並行に配置構成され、電気接続のｊ個の隣接する列のグループが並行に配置構成され、それによって、各々が発光素子のｉ×ｊアレイを有する前記スーパー・ピクセルを定義し、ｉ及びｊは２に等しいか又は２よりも大きい整数であり、所与のスーパー・ピクセル内の前記発光素子は個別にアクティブ化できず、
前記スーパー・ピクセルの一つの中の発光素子は、同じスーパー・ピクセル内の他の発光素子とは異なる色の光を発し、
前記発光素子は、有機発光ダイオード（ＯＬＥＤ）である、ディスプレイ・モジュール。
【請求項２】
前記スーパー・ピクセル内のＯＬＥＤによって発生される前記光の色は、赤、緑、青、黄、白、オレンジ、マゼンタ、又はシアンのうちの２つ以上を含む、請求項１に記載のディスプレイ・モジュール。
【請求項３】
前記スーパー・ピクセル内の少なくとも１つのＯＬＥＤは赤い光を発し、前記スーパー・ピクセル内の少なくとも１つのＯＬＥＤは緑の光を発し、前記スーパー・ピクセル内の少なくとも１つのＯＬＥＤは青い光を発する、請求項１に記載のディスプレイ・モジュール。
【請求項４】
スーパー・ピクセルを有するディスプレイ・モジュールであって、
各発光素子がアノード及びカソードを有する発光素子のマトリクスと、
前記マトリクス内の前記発光素子に電気的に接続する行及び列によって定義された電気接続を有する駆動回路と、を備え、
電気接続のｉ個の隣接する行のグループが並行に配置構成され、電気接続のｊ個の隣接する列のグループが並行に配置構成され、それによって、各々が発光素子のｉ×ｊアレイを有する前記スーパー・ピクセルを定義し、ｉ及びｊは２に等しいか又は２よりも大きい整数であり、所与のスーパー・ピクセル内の前記発光素子は個別にアクティブ化できず、
前記スーパー・ピクセルのいくつかは、エッジ・スーパー・ピクセルであり、前記エッジ・スーパー・ピクセルの少なくともいくつかは、非アクティブであり、
前記発光素子は、有機発光ダイオード（ＯＬＥＤ）である、ディスプレイ・モジュール。
【請求項５】
スーパー・ピクセルを有するディスプレイ・モジュールであって、
各発光素子がアノード及びカソードを有する発光素子のマトリクスと、
前記マトリクス内の前記発光素子に電気的に接続する行及び列によって定義された電気接続を有する駆動回路と、を備え、
電気接続のｉ個の隣接する行のグループが並行に配置構成され、電気接続のｊ個の隣接する列のグループが並行に配置構成され、それによって、各々が発光素子のｉ×ｊアレイを有する前記スーパー・ピクセルを定義し、ｉ及びｊは２に等しいか又は２よりも大きい整数であり、所与のスーパー・ピクセル内の前記発光素子は個別にアクティブ化できず、
前記スーパー・ピクセルのいくつかは、エッジ・スーパー・ピクセルであり、前記ディスプレイ・モジュールは、前記エッジ・スーパー・ピクセルが位置する少なくともいくつかの領域から観察者が見える光を発せず、
前記発光素子は、有機発光ダイオード（ＯＬＥＤ）である、ディスプレイ・モジュール。
【請求項６】
スーパー・ピクセルを有するディスプレイ・モジュールであって、
各発光素子がアノード及びカソードを有する発光素子のマトリクスと、
前記マトリクス内の前記発光素子に電気的に接続する行及び列によって定義された電気接続を有する駆動回路と、を備え、
電気接続のｉ個の隣接する行のグループが並行に配置構成され、電気接続のｊ個の隣接する列のグループが並行に配置構成され、それによって、各々が発光素子のｉ×ｊアレイを有する前記スーパー・ピクセルを定義し、ｉ及びｊは２に等しいか又は２よりも大きい整数であり、所与のスーパー・ピクセル内の前記発光素子は個別にアクティブ化できず、
前記スーパー・ピクセルのいくつかは、エッジ・サブピクセルを有し、前記ディスプレイ・モジュールは、前記エッジ・サブピクセルが位置する少なくともいくつかの領域から観察者が見える光を発せず、
前記発光素子は、有機発光ダイオード（ＯＬＥＤ）である、ディスプレイ・モジュール。
【請求項７】
スーパー・ピクセルを有するディスプレイ・モジュールであって、
各発光素子がアノード及びカソードを有する発光素子のマトリクスと、
前記マトリクス内の前記発光素子に電気的に接続する行及び列によって定義された電気接続を有する駆動回路と、を備え、
電気接続のｉ個の隣接する行のグループが並行に配置構成され、電気接続のｊ個の隣接する列のグループが並行に配置構成され、それによって、各々が発光素子のｉ×ｊアレイを有する前記スーパー・ピクセルを定義し、ｉ及びｊは２に等しいか又は２よりも大きい整数であり、所与のスーパー・ピクセル内の前記発光素子は個別にアクティブ化できず、
各スーパー・ピクセルは、エッジ・サブピクセルを含み、前記エッジ・サブピクセルの少なくともいくつかは、非アクティブであり、
前記発光素子は、有機発光ダイオード（ＯＬＥＤ）である、ディスプレイ・モジュール。
【請求項８】
各スーパー・ピクセル内の前記エッジ・サブピクセルのすべては、非アクティブである、請求項７に記載のディスプレイ・モジュール。
【請求項９】
スーパー・ピクセルを有するディスプレイ・モジュールであって、
各発光素子がアノード及びカソードを有する発光素子のマトリクスであって、前記発光素子のいくつかはエッジ発光素子を構成する、発光素子のマトリクスと、
前記マトリクス内の前記発光素子に電気的に接続する行及び列によって定義された電気接続を有する駆動回路であって、前記エッジ発光素子の少なくともいくつかは前記駆動回路に電気的に接続されない、駆動回路と、を備え、
電気接続の隣接する行のグループが並行に配置構成され、電気接続の隣接する列のグループが並行に配置構成され、それによって、各々が少なくとも４つの発光素子のアレイを有する前記スーパー・ピクセルを定義し、所与のスーパー・ピクセル内の前記発光素子は個別にアクティブ化できず、
前記発光素子は、有機発光ダイオード（ＯＬＥＤ）である、ディスプレイ・モジュール。
【請求項１０】
前記エッジＯＬＥＤのすべてが前記駆動回路に電気的に接続されず、前記スーパー・ピクセルのいずれにも含まれない、請求項９に記載のディスプレイ・モジュール。
【請求項１１】
前記モジュールは４つのエッジを含み、前記モジュールの４つのエッジのうちの少なくとも１つに沿って常駐する前記エッジＯＬＥＤのすべてが、前記駆動回路に電気的に接続されていない、請求項９に記載のディスプレイ・モジュール。
【請求項１２】
前記ＯＬＥＤのマトリクス内の前記ＯＬＥＤは、ほぼ同じ波長の光を発する、請求項４から１１のいずれか一項に記載のディスプレイ・モジュール。
【請求項１３】
前記モジュールは、階層化構造で配置構成された複数のモノクロ・モジュールを含むカラー・モジュールであり、前記モノクロ・モジュールのうちの少なくとも１つは前記モノクロ・モジュールの別の１つとは異なる色の光を発するように構成され、前記モノクロ・モジュールのうちの各々はスーパー・ピクセルを定義する前記ＯＬＥＤのマトリクスのうちの１つを含み、所与のモノクロ・モジュール内の所与のスーパー・ピクセル内の前記ＯＬＥＤは個別にアクティブ化できない、請求項４から１１のいずれか一項に記載のディスプレイ・モジュール。
【請求項１４】
所与のモノクロ・モジュール内の前記スーパー・ピクセルは、前記モノクロ・モジュール内の他のスーパー・ピクセルとは別々にアクティブ化可能であり、前記カラー・モジュールの他方のモノクロ・モジュール内の他のスーパー・ピクセルとは別々にアクティブ化可能である、請求項１３に記載のディスプレイ・モジュール。
【請求項１５】
前記ディスプレイ・モジュールはｎ個の行及びｋ個の列のスーパー・ピクセルを含み、更に前記駆動回路は、ｋ個の電流シンクのみ及びｋ個の列スイッチのみを含む、共通アノード構成を有し、各スーパー・ピクセル列は前記電流シンクのうちの１つ及び前記列スイッチのうちの１つを含み、前記駆動回路はｎ個の電圧入力のみ及びｎ個の行スイッチのみを含み、各スーパー・ピクセル行は前記電圧入力のうちの１つ及び前記行スイッチのうちの１つを含む、請求項１から１４のいずれか一項に記載のディスプレイ・モジュール。
【請求項１６】
前記電気接続の行及び電気接続の列に電気的に接続された回路コントローラを更に含む、請求項１から１５のいずれか一項に記載のディスプレイ・モジュール。
【請求項１７】
前記回路コントローラは、ボール・グリッド・アレイ（ＢＧＡ）構造を介して前記行及び列に電気的に接続される、請求項１６に記載のディスプレイ・モジュール。
【請求項１８】
前記ＯＬＥＤのマトリクスは、共通アノード構成又は共通カソード構成のいずれかで電気的に接続される、請求項１から１１のいずれか一項に記載のディスプレイ・モジュール。
【請求項１９】
請求項１から１８のいずれか一項に記載の複数のディスプレイ・モジュールと、
各パネルが１つ以上の前記モジュールを動作可能にサポートしている１つ以上のパネルと、
を備える、大型ディスプレイ。
【請求項２０】
ディスプレイ・パネルを製造する方法であって、
請求項１から１８のいずれか一項に記載の複数のディスプレイ・モジュールを取得することと、
前記複数のディスプレイ・モジュールを、ディスプレイ・イメージを提供するためのディスプレイ・パネルとして配置構成することと、
を含む、方法。
【請求項２１】
大型ディスプレイを形成するために、前記ディスプレイ・パネルを複数の他のディスプレイ・パネルと接続するための電気接続を提供することを更に含む、請求項２０に記載の方法。
【請求項２２】
大型ディスプレイ・イメージを表示するための方法であって、
請求項１から１８のいずれか一項に記載の少なくとも１つのディスプレイ・モジュールを取得することと、
前記ディスプレイ・イメージを代表するビデオ信号を前記ディスプレイ・モジュールに提供することと、
前記スーパー・ピクセルを使用して前記ディスプレイ・モジュール上に前記ディスプレイ・イメージを表示することと、
を含む、方法。
【請求項２３】
複数の前記ディスプレイ・モジュールを取得することと、
前記複数のモジュールから前記ディスプレイを形成することと、
を更に含む、請求項２２に記載の方法。
【請求項２４】
大型ディスプレイ用のディスプレイ・モジュールを製造する方法であって、
発光素子のマトリクスを取得することと、
スーパー・ピクセルを有するディスプレイ・モジュールを定義するために前記発光素子のマトリクスを電気的に接続することであって、各スーパー・ピクセルは４つ以上の発光素子のグループを含み、各スーパー・ピクセル内の前記発光素子は個別にアクティブ化できないことと、を含み、
前記ディスプレイ・モジュールはエッジ・スーパー・ピクセル及びエッジ・サブピクセルを含み、
前記電気的に接続するステップは、前記エッジ・スーパー・ピクセル又はエッジ・サブピクセルのうちの少なくともいくつかを非アクティブとして構成することを含み、
前記発光素子は、有機発光ダイオード（ＯＬＥＤ）である、方法。
【請求項２５】
前記電気的に接続するステップは、ｎ個の行及びｋ個の列のスーパー・ピクセルを形成することを含み、
共通アノード構成、ｋ個の電流シンクのみ、ｋ個の列スイッチのみ、ｎ個の電圧入力のみ、及びｎ個の行入力のみを有する、前記ディスプレイ・モジュール用の駆動回路を構築することと、
各スーパー・ピクセル列を前記電流シンクのうちの１つ及び前記列スイッチのうちの１つに電気的に接続し、各スーパー・ピクセル行を前記電圧入力のうちの１つ及び前記行スイッチのうちの１つに電気的に接続することと、
を更に含む、請求項２４に記載の方法。
【発明の詳細な説明】
【技術分野】
【０００１】
[0001]  本開示は、有機発光ダイオード（ＯＬＥＤ）及びＯＬＥＤディスプレイに関し、具体的には大型ＯＬＥＤディスプレイ用のＯＬＥＤディスプレイ・モジュールに関する。
【０００２】
[0002]  本明細書で言及される、「Ｏｒｇａｎｉｃ  ｌｉｇｈｔ−ｅｍｉｔｔｉｎｇ  ｄｉｏｄｅ  ｄｉｓｐｌａｙ  ａｓｓｅｍｂｌｙ  ｆｏｒ  ｕｓｅ  ｉｎ  ａ  ｌａｒｇｅ−ｓｃｒｅｅｎ  ｄｉｓｐｌａｙ  ａｐｐｌｉｃａｔｉｏｎ」という名称の米国特許第２００４／０２０７３１５号、及び「Ｍｅｔｈｏｄ  ｆｏｒ  ｃｏｎｔｒｏｌｌｉｎｇ  ａｎ  ｏｒｇａｎｉｃ  ｌｉｇｈｔ−ｅｍｉｔｔｉｎｇ  ｄｉｏｄｅ  ｄｉｓｐｌａｙ，  ａｎｄ  ｄｉｓｐｌａｙ  ａｐｐｌｙｉｎｇ  ｔｈｉｓ  ｍｅｔｈｏｄ」という名称の米国特許第２００５／００１７９２２号を含む、いずれの文献又は特許文書も、開示全体が参照により組み込まれている。
【背景技術】
【０００３】
[0003]  有機発光ダイオード（ＯＬＥＤ）は、電極間に挟まれＤＣ電流にさらされた場合、様々な色（波長）の光を生成する、有機発光体の層を利用する。これらのＯＬＥＤ構造を画素即ち「ピクセル」に組み合わせて、ＯＬＥＤディスプレイを形成することができる。ＯＬＥＤは、個別発光デバイスとして、或いは、腕時計、電話、ラップトップ・コンピュータ、ページャ、携帯電話、計算機などにおけるフラットパネル・ディスプレイなどの、発光アレイ又はディスプレイの能動素子として、様々な応用例でも有用である。これまで、発光アレイ又はディスプレイを形成するためにＯＬＥＤを使用することは、主に前述のような小型スクリーンの応用例に限定されてきた。
【０００４】
[0004]  より高い品質及びより高い解像度を有する大型ディスプレイに対する需要が、旧式のＬＥＤ及び液晶ディスプレイ（ＬＣＤ）に取って代わる代替ディスプレイ技術に業界を向かわせてきた。例えばＬＣＤは、大型ディスプレイ市場が求める、明るいハイライト出力、より大きな視野角、並びに高解像度及び高速の要件を提供することができない。従来のＬＣＤの別の欠点は、駆動相互接続が側面から作られており、ＬＣＤベース・ディスプレイ・モジュールの効率的なタイリングを不可能にしている、という事実である。それに対してＯＬＥＤは、高解像度及びより広い視野角での明るく鮮やかな色を約束しているため、屋外又は屋内のスタジアム・ディスプレイ、大型マーケティング広告ディスプレイ、及び大衆向け情報公開ディスプレイなどの、大型ディスプレイ用の光源としても非常に魅力的なオプションである。
【発明の概要】
【発明が解決しようとする課題】
【０００５】
[0005]  これまで、大型ディスプレイにおけるＯＬＥＤ技術の使用は、主に小型のＯＬＥＤディスプレイに使用されたものと同じ技術に依拠してきた。この手法は単純であり、一般に実用にかなっているが、相対的に高価であり、必ずしも所与の応用範囲に最適とは限らない。
【課題を解決するための手段】
【０００６】
[0006]  本開示の態様は、各ＯＬＥＤがアノード及びカソードを有するＯＬＥＤのマトリクスと、ＯＬＥＤマトリクス内のＯＬＥＤに電気的に接続する行及び列によって定義された電気接続を有するＯＬＥＤ駆動回路と、を含み、ｉ個の隣接する行のグループが並行に配置構成され、ｊ個の隣接する列のグループが並行に配置構成され、それによって、各々がＯＬＥＤのｉ×ｊアレイを有するスーパー・ピクセルを定義し、ｉ及びｊは２に等しいか又は２よりも大きい整数であり、所与のスーパー・ピクセル内のＯＬＥＤは個別にアクティブ化できない、ＯＬＥＤディスプレイ・モジュールである。
【０００７】
[0007]  本開示の別の態様は、前述のようなＯＬＥＤディスプレイ・モジュールであり、ＯＬＥＤ駆動回路は、各列が電流シンク及び列スイッチを含み、各行が電圧入力及び行スイッチを含む、共通アノード構成を有する。
【０００８】
[0008]  本開示の別の態様は、前述のようなＯＬＥＤディスプレイ・モジュールであり、ＯＬＥＤのマトリクス内のＯＬＥＤは、ほぼ同じ波長の光を発する。
【０００９】
[0009]  本開示の別の態様は、前述のようなＯＬＥＤディスプレイ・モジュールであり、所与のスーパー・ピクセル内の異なるＯＬＥＤは、複数の異なる色の光のうちの１つを発する。
【００１０】
[0010]  本開示の別の態様は、前述のようなＯＬＥＤディスプレイ・モジュールであり、所与のスーパー・ピクセル内のそれぞれのＯＬＥＤは、赤、緑、又は青の光のうちの１つを発する。
【００１１】
[0011]  本開示の別の態様は、前述のようなＯＬＥＤディスプレイ・モジュールであり、光の色は、赤、緑、青、黄、白、オレンジ、マゼンタ、及びシアンのうちの２つ以上を含む。
【００１２】
[0012]  本開示の別の態様は、前述のようなＯＬＥＤディスプレイ・モジュールであり、スーパー・ピクセルのいくつかはエッジ・スーパー・ピクセルであり、エッジ・スーパー・ピクセルの少なくともいくつかは非アクティブである。
【００１３】
[0013]  本開示の別の態様は、前述のようなＯＬＥＤディスプレイ・モジュールであり、スーパー・ピクセルのいくつかはエッジ・サブピクセルを有し、エッジ・サブピクセルの１つ以上は非アクティブである。
【００１４】
[0014]  本開示の別の態様は、前述のようなＯＬＥＤディスプレイ・モジュールであり、各スーパー・ピクセル内のエッジ・サブピクセルの各々は非アクティブである。
【００１５】
[0015]  本開示の別の態様は、前述のようなＯＬＥＤディスプレイ・モジュールであり、行及び列に電気的に接続された回路コントローラを更に含む。
【００１６】
[0016]  本開示の別の態様は、前述のようなＯＬＥＤディスプレイ・モジュールであり、回路コントローラは、ボール・グリッド・アレイ（ＢＧＡ）構造を介して行及び列に電気的に接続される。
【００１７】
[0017]  本開示の別の態様は、前述のような複数のＯＬＥＤディスプレイ・モジュールと、各パネルが１つ以上のモジュールを動作可能にサポートしている１つ以上のパネルとを含む、大型ＯＬＥＤディスプレイである。
【００１８】
[0018]  本開示の別の態様は、前述のような大型ＯＬＥＤディスプレイであり、ＯＬＥＤディスプレイ・モジュールはカラー・モジュールである。
【００１９】
[0019]  本開示の別の態様は、大型ＯＬＥＤディスプレイ・イメージを表示する方法である。方法は、有機発光ダイオード（ＯＬＥＤ）のマトリクスを提供すること、スーパー・ピクセルを有するＯＬＥＤディスプレイを定義するためにＯＬＥＤのマトリクス内のＯＬＥＤを電気的に接続することであって、各スーパー・ピクセルは４つ以上のＯＬＥＤのグループを含み、各スーパー・ピクセル内のＯＬＥＤは個別にアクティブ化できない、電気的に接続すること、ディスプレイ・イメージを代表するビデオ信号をＯＬＥＤディスプレイに提供すること、及び、スーパー・ピクセルを使用してＯＬＥＤディスプレイ上にディスプレイ・イメージを表示することを含む。
【００２０】
[0020]  本開示の別の態様は、複数モジュール内にＯＬＥＤのマトリクスを提供すること、及び複数モジュールからＯＬＥＤディスプレイを形成することを含む、前述のような大型ディスプレイ・イメージを表示する方法である。
【００２１】
[0021]  本開示の別の態様は、大型ディスプレイ・イメージを表示する方法であり、所与のスーパー・ピクセル内の異なるＯＬＥＤは、複数の異なる色の光のうちの１つを発する。
【００２２】
[0022]  本開示の別の態様は、大型ディスプレイ・イメージを表示する方法であり、所与のスーパー・ピクセル内のそれぞれのＯＬＥＤは、赤、緑、又は青の光のうちの１つを発する。
【００２３】
[0023]  本開示の別の態様は、大型ディスプレイ・イメージを表示する方法であり、光の色は、赤、緑、青、黄、白、オレンジ、マゼンタ、及びシアンを含む。
【００２４】
[0024]  本開示の別の態様は、大型ディスプレイ・イメージを表示する方法であり、スーパー・ピクセルのいくつかはエッジ・スーパー・ピクセルであり、エッジ・スーパー・ピクセルの少なくともいくつかは非アクティブである。
【００２５】
[0025]  本開示の別の態様は、大型ディスプレイ・イメージを表示する方法であり、ＯＬＥＤのマトリクスは、共通アノード構成又は共通カソード構成のいずれかで電気的に接続される。
【００２６】
[0026]  本開示の別の態様は、各ＯＬＥＤがアノード及びカソードを有するＯＬＥＤのマトリクスであり、ＯＬＥＤのいくつかはエッジＯＬＥＤを構成する、ＯＬＥＤのマトリクスと、ＯＬＥＤマトリクス内のＯＬＥＤに電気的に接続する行及び列によって定義された電気接続を有するＯＬＥＤ駆動回路であり、エッジＯＬＥＤの少なくともいくつかはＯＬＥＤ駆動回路に電気的に接続されない、ＯＬＥＤ駆動回路と、を含み、隣接する行のグループが並行に配置構成され、隣接する列のグループが並行に配置構成され、それによって、各々が少なくとも４つのＯＬＥＤのアレイを有するスーパー・ピクセルを定義し、所与のスーパー・ピクセル内のＯＬＥＤは個別にアクティブ化できない、ＯＬＥＤディスプレイ・モジュールである。
【００２７】
[0027]  本開示の別の態様は、前述のようなＯＬＥＤディスプレイ・モジュールであり、ＯＬＥＤ駆動回路は、各列が電流シンク及び列スイッチを含み、各行が電圧入力及び行スイッチを含む、共通アノード構成を有する。
【００２８】
[0028]  本開示の別の態様は、前述のようなＯＬＥＤディスプレイ・モジュールであり、ＯＬＥＤ駆動回路は共通カソード構成を有する。
【００２９】
[0029]  本開示の別の態様は、前述のようなＯＬＥＤディスプレイ・モジュールであり、エッジＯＬＥＤのすべてがＯＬＥＤ駆動回路に電気的に接続されず、スーパー・ピクセルのいずれにも含まれない。
【００３０】
[0030]  本開示の別の態様は、前述のようなＯＬＥＤディスプレイ・モジュールであり、モジュールは４つのエッジを含み、モジュールの４つのエッジのうちの少なくとも１つに沿って常駐するエッジＯＬＥＤのすべてが、ＯＬＥＤ駆動回路に電気的に接続されていない。
【００３１】
[0031]  本開示の別の態様は、前述のようなＯＬＥＤディスプレイ・モジュールであり、所与のスーパー・ピクセル内の異なるＯＬＥＤは、複数の異なる色の光のうちの１つを発する。
【００３２】
[0032]  本開示の別の態様は、前述のようなＯＬＥＤディスプレイ・モジュールであり、異なる色の光は、赤、緑、青、黄、白、オレンジ、マゼンタ、及びシアンのうちの２つ以上を含む。
【００３３】
[0033]  本開示の別の態様は、前述のようなＯＬＥＤディスプレイ・モジュールであり、各スーパー・ピクセルはエッジ・サブピクセルを含み、各スーパー・ピクセル内のエッジ・サブピクセルの少なくともいくつかは非アクティブである。
【００３４】
[0034]  本開示の別の態様は、前述のようなＯＬＥＤディスプレイ・モジュールであり、各スーパー・ピクセル内のエッジ・サブピクセルのすべては非アクティブである。
【００３５】
[0035]  本明細書で開示されたモジュールの利点は、制御電子回路のコストが、ＯＬＥＤマトリクスによって定義されるディスプレイの最高可能解像度ではなく、望ましいディスプレイ解像度に比例することである。共通デバイス上の個々のＯＬＥＤを組み合わせる物理特性の利点を利用することによって、駆動電子回路の数が削減され、例えば最適化（即ち最小化）することができる。このことは、駆動電子回路のコストが、スーパー・ピクセルによって定義される最終ディスプレイの解像度ではなく、ＯＬＥＤマトリクスによって定義されるデバイスの最高可能解像度に基づく場合、大型ディスプレイは利益が上がらなくなるほど極端に高価になることから、重要である。
【００３６】
[0036]  追加の特徴及び利点は、以下の詳細な説明に記載され、当業者であれば部分的に、説明から容易に明らかとなるか、又は、本明細書及びその特許請求の範囲並びに添付の図面に記載されたように実施形態を実施することによって理解されよう。前述の全般的な説明及び以下の詳細な説明はいずれも単なる例示であり、特許請求の範囲の性質及び特徴を理解するために概要又は枠組みを提供するように意図されていることを理解されよう。
【００３７】
[0037]  添付の図面は更なる理解を与えるために含まれ、本明細書に組み込まれ、その一部を構成している。図面は１つ以上の実施形態を示し、発明を実施するための形態と共に、様々な実施形態の原理及び動作を説明する働きをする。したがって本開示は、添付の図面に関連した以下の発明を実施するための形態から、より完全に理解されよう。
【図面の簡単な説明】
【００３８】
【図１】[0038]個々のＯＬＥＤまで徐々に解像度が高くなる大型ディスプレイ・スクリーンの細部を示すクローズアップ挿入図を用いて、ビデオ・カメラによってキャプチャされた踊る人々のイメージを表示する、大型ＯＬＥＤディスプレイを含む、例示の大型ディスプレイ・システムを示す図である。
【図２Ａ】[0039]例示のモジュールの概略図であり、ＯＬＥＤ駆動回路の一部をクローズアップ挿入図内に示す。
【図２Ｂ】[0040]図２Ａの例示のモジュールの断面図であり、ボール・グリッド・アレイ（ＢＧＡ）構造を使用して行及び列の電気接続に電気的に接続された回路コントローラを含む例を示す。
【図３】[0041]従来の共通アノードＯＬＥＤ駆動回路を使用して電気的に接続されたＯＬＥＤのアレイで構成される、従来のＯＬＥＤディスプレイを示す概略図であり、すべてのＯＬＥＤが個別にアドレス可能であり、ディスプレイのピクセルを定義している。
【図４Ａ】[0042]共通アノード駆動回路構成で電気的に接続されたＯＬＥＤのアレイを含む、本開示に従った例示のＯＬＥＤディスプレイを示す概略図であり、２×２のＯＬＥＤの選択グループがアドレス可能であり、選択グループはディスプレイ用のスーパー・ピクセルを構成する。
【図４Ｂ】[0043]図４Ａと同様であるが、スーパー・ピクセルは２×４のＯＬＥＤの選択グループによって構成される。
【図５】[0044]ディスプレイ・パネルの例示のモジュールを示すフロントオン図であり、モジュールは４×３スーパー・ピクセルのアレイで構成され、各スーパー・ピクセルは赤（Ｒ）、緑（Ｇ）、及び青（Ｂ）のＯＬＥＤを含む。
【図６Ａ】[0045]階層化構造に配置構成されたＲ、Ｇ、及びＢのモノクロ・モジュールを示す、例示のカラーＯＬＥＤモジュールを示す立体分解図である。
【図６Ｂ】[0046]図６Ａの例示のカラー・モジュールの一部を示す、クローズアップ断面図である。
【図６Ｃ】[0047]図６Ａ及び図６Ｂのカラー・モジュールの例示のカラー・スーパー・ピクセルを示す、立体分解図である。
【図７Ａ】[0048]モジュールのエッジ・スーパー・ピクセルの少なくともいくつかが非アクティブ又は暗色である、例示の実施形態を示す図である。
【図７Ｂ】[0048]モジュールのエッジ・スーパー・ピクセルの少なくともいくつかが非アクティブ又は暗色である、例示の実施形態を示す図である。
【図７Ｃ】[0048]モジュールのエッジ・スーパー・ピクセルの少なくともいくつかが非アクティブ又は暗色である、例示の実施形態を示す図である。
【図７Ｄ】[0048]モジュールのエッジ・スーパー・ピクセルの少なくともいくつかが非アクティブ又は暗色である、例示の実施形態を示す図である。
【図８Ａ】[0049]２つの隣接モジュールによって形成されるシームに隣接して常駐する、暗色のエッジ・スーパー・ピクセルを示す、２つの隣接モジュールの一部を示すクローズアップ図であり、エッジ・スーパー・ピクセル内のエッジＯＬＥＤが暗色である。
【図８Ｂ】[0050]図８Ａと同様であり、モジュール内の各スーパー・ピクセル内のエッジＯＬＥＤ（即ち、エッジ・サブピクセル）のすべてが暗色である。
【図９Ａ】[0051]モジュールが１６×１２スーパー・ピクセルを有するように、４×４スーパー・ピクセルに配置構成されたＯＬＥＤを備える、ＯＬＥＤの６４×４８ＯＬＥＤマトリクスを有する例示のモジュールを示す、フロントオン概略図である。
【図９Ｂ】[0052]図８Ａと同様であり、シームに隣接して常駐する各モジュールのエッジ・ピクセルが非アクティブであり、いずれのスーパー・ピクセルの一部でもない、２つの隣接モジュールの一部を示すクローズアップ図である。
【発明を実施するための形態】
【００３９】
[0053]  次に、その例が添付の図面に示された、本開示の様々な実施形態を詳細に参照する。可能な限り、図面全体を通じて同じか又は同様の部分を参照するために、同じか又は同様の参照番号及び記号が使用される。図面は必ずしも一定の縮尺とは限らず、当業者であれば、本開示の主要な態様を示すために図面が簡略化されている場合を理解されよう。
【００４０】
[0054]  以下に示される特許請求の範囲は、この発明を実施するための形態に組み込まれ、その一部を構成している。
【００４１】
[0055]  いくつかの図面では参照のためにデカルト座標が示されており、方向又は配向に関して限定的であることは意図されていない。
【００４２】
[0056]  以下の考察において、要素のＡ×Ｂアレイはｘ方向にＡ個の要素及びｙ方向にＢ個の要素を有し、特に記載のない限り、ｘ方向は水平方向を表しｙ方向は垂直方向を表す。
【００４３】
[0057]  更に以下の考察において、「モジュール」は、１つ以上のパネルを使用して１つ以上のモジュールを動作可能にサポートすることなど、例において２つ以上のモジュールの組み合わせによってより大きなディスプレイを形成するために使用可能なように構成されたディスプレイである。パネルによってサポートされたディスプレイ・モジュールを使用する大型ディスプレイの例は、米国特許第７６５４８７８号及び米国特許第６８７０５１９号に記載されている。
【００４４】
[0058]  加えて、以下の考察において、「サブピクセル」という用語はスーパー・ピクセルの一部を構成するＯＬＥＤを指す。エッジ・サブピクセルは、スーパー・ピクセルのエッジに常駐するサブピクセルである。
【００４５】
[0059]  ＯＬＥＤディスプレイ・システム
【００４６】
[0060]  図１は、以下でより詳細に説明する、大型ＯＬＥＤベース・ディスプレイ・アセンブリ（「ＯＬＥＤディスプレイ」）２６０を含む、例示のＯＬＥＤディスプレイ・システム５０の概略図である。ＯＬＥＤディスプレイ２６０はＤｘ及びＤｙの寸法を有する。例において、寸法Ｄｘは、例えば２フィート（約０．６１ｍ）を超える、又は１０フィート（約３．０５ｍ）を超える、或いは５０（約１５．２４ｍ）フィートを超える、フィート数とすることが可能である。寸法Ｄｙは、ＯＬＥＤディスプレイ２６０の望ましいアスペクト比と一致する対応する値を有することができる。示された例において、カメラ５２を備えるカメラマン５０は、踊る人々５４のビデオ・イメージを記録し、ビデオ・イメージは、ＯＬＥＤディスプレイ・イメージ５６を形成するために従来の手段を使用してＯＬＥＤディスプレイ２６０に中継される。
【００４７】
[0061]  例において、ＯＬＥＤディスプレイ２６０は、例えば図示された６×５アレイのパネルなどのいくつかのディスプレイ・パネル（「パネル」）７０で構成される。各ディスプレイ・パネル７０はｄ１ｘ×ｄ１ｙの寸法を有する。例において、寸法ｄ１ｘは４５０から５００ｍｍの範囲が可能であり、寸法ｄ１ｙは２５０から３００ｍｍの範囲が可能である。例において、各パネル７０は、図示された３×４アレイのディスプレイ・モジュールなどの、いくつかのディスプレイ・アセンブリ又は「モジュール」８０で構成可能である。各モジュール８０はｄ２ｘ×ｄ２ｙの寸法を有する。例において、寸法ｄ２ｘは１００から１５０ｍｍの範囲が可能であり、寸法ｄ２ｙは８０から１２０ｍｍの範囲が可能である。
【００４８】
[0062]  図２Ａは、本明細書で開示され、以下でより詳細に考察される、ＯＬＥＤ駆動回路２５０の一部をクローズアップ挿入図内に示す、例示のモジュール８０の概略図である。図２Ｂは、図２Ａの例示のモジュール８０の断面図である。モジュール８０は上面８１、エッジ８２、及び下面８３を有する。例において、モジュール８０は図に示されるように矩形であり、エッジ８２は４つのエッジ８２ａ、８２ｂ、８２ｃ、及び８２ｄによって構成される。ＯＬＥＤ駆動回路２５０は、回路コントローラ２５４（例えばマイクロコントローラ）及びＯＬＥＤ１００のマトリクス１００Ｍを含み、その各々が図１の最下部クローズアップ挿入図に示されるような中央発光部分１０２を有する。列レジスタ、シフト・レジスタなどの当分野で知られた他の電子構成要素をＯＬＥＤ駆動回路２５０に含めることが可能であるが、説明しやすいように図示されていない。ＯＬＥＤ駆動回路２５０は、以下で考察するように、選択様式でＯＬＥＤマトリクス１００Ｍ内のＯＬＥＤ１００を電気的に接続する電気接続のｘ−ｙグリッドを表す、行ｒ及び列ｃを含む。
【００４９】
[0063]  図２Ｂは、ボール・グリッド・アレイ（ＢＧＡ）構造２５６を使用して、回路コントローラ２５４がモジュール８０の下面８３を介して行及び列の電気接続ｒ及びｃに電気的に接続される例を示す。
【００５０】
[0064]  例において、ＯＬＥＤ１００は、典型的には０．２５ｍｍの少し上（例えば０．６２５ｍｍ）から３．５ｍｍの範囲内である、中心間距離ｓを有する。例において、ＯＬＥＤ１００は、カラー・ディスプレイで使用される赤（Ｒ）、緑（Ｇ）、青（Ｂ）、白（Ｗ）、黄（Ｙ）、オレンジ（Ｏ）、シアン（Ｃ）、マゼンタ（Ｍ）、及び他の色などの、いくつかの異なる波長のうちの１つで光を発する。以下のいくつかの考察において、ＯＬＥＤ１００は、本明細書で開示されるスーパー・ピクセル構成を説明及び考察しやすいように、ＯＬＥＤディスプレイ２６０がモノクロであるように単色の光を発するものと想定される。本明細書で開示されるスーパー・ピクセル構成及びＯＬＥＤ駆動回路２５０を使用するカラーＯＬＥＤディスプレイ２６０の例示の実施形態も、以下で考察する。例において、ＯＬＥＤディスプレイ２６０は高精細度を有するように構成される。
【００５１】
[0065]  モジュール８０内でＯＬＥＤ１００を使用することの利点は、それらが液晶ディスプレイ（ＬＣＤ）パネルで実行されるようにモジュールの側面からではなく、背面からの電気接続を可能にすることである。これは、モジュール用のベゼルが電気的相互接続を隠すためではなく、周囲からＯＬＥＤ１００をシールするためにのみ使用されることから、モジュール８０の上面８１上のオプションのベゼル（図示せず）のサイズを、ＬＣＤパネルに必要とされるサイズに比べて大幅に縮小できることを意味する。これにより、モジュール８０をＬＣＤパネルより小さくする一方で、隣接モジュール間に生じるベゼルの逆効果（例えば、いわゆるベゼル又はシーム効果）も減少させることができる。
【００５２】
[0066]  従来のＯＬＥＤディスプレイ
【００５３】
[0067]  図３は、従来のＯＬＥＤディスプレイ１６０の一部としての従来（従来技術）のＯＬＥＤ駆動回路１５０の概略回路図である。ＯＬＥＤ駆動回路１５０は、ＯＬＥＤ１００を個別にアクティブ化することができる（即ち、ＯＬＥＤが独立にアドレス可能である）、共通アノード回路構成を有する。ＯＬＥＤ駆動回路１５０は、当分野で知られるように、共通カソード構成も有することができる。示された例において、ＯＬＥＤディスプレイ１６０は８列及び６行のＯＬＥＤ１００を有し（即ち８×６ディスプレイであり）、ＯＬＥＤマトリクス１００Ｍを定義する合計４８のＯＬＥＤである。図３は、ＯＬＥＤ１００のマトリクス位置（行及び列）を示すイタリック体の数字を含み、例えば１１は、アレイ内の第１行、第１列のＯＬＥＤを示し、４６は、ＯＬＥＤマトリクス１００Ｍ内の第４行、第６列のＯＬＥＤを示す。共通カソード構成と比べた共通アノード構成の利点は、後者では回路が駆動電圧から更に独立していることを含む。共通カソード構成の場合、駆動電圧変動はＯＬＥＤ１００を介して流れる電流に影響を及ぼすため、光の出力に影響を与える可能性がある。共通アノード構成において、基準は接地Ｇであり、当然のことながらはるかに安定している。
【００５４】
[0068]  市販のディスプレイは、異なる形式、カラー、サイズ、及び他の属性で利用可能な何千もの個別のＯＬＥＤ１００を有することが可能である。各ＯＬＥＤ１００は、カソード１０２及びアノード１０４を有する。ＯＬＥＤ駆動回路１５０は、列ｃ（例えばｃ１からｃ８）及び行（例えばｒ１からｒ８）によって表される導電線又はワイヤのｘ−ｙグリッドを含む。各ＯＬＥＤ１００のカソード１０２及びアノード１０４は、それぞれ所与の行ｒ及び所与の列ｃに電気的に接続される。
【００５５】
[0069]  ＯＬＥＤ駆動回路１５０は、それぞれの列ｃ（例えば列ｃ１からｃ８）の端部に配置構成された電流シンクＣＳ（例えばＣＳ１からＣＳ８）と、その後に続く接地スイッチＳＧ（例えばスイッチＳＧ１からＳＧ８）も含む。各行ｒは（行）スイッチＳＲ（例えばスイッチＳＲ１からＳＲ６）を含む。ＯＬＥＤ駆動回路１５０は、行ｒに対するバンク電圧入力ＶＢ（例えばＶＢ１、ＶＢ２、…ＶＢ６）も含む。バンク電圧入力ＶＢは、スイッチＳＲに隣接して常駐する。
【００５６】
[0070]  各ＯＬＥＤ１００は、電流がそのアノード１０４からそのカソード１０２へと通過した時に、光を発する。ＯＬＥＤ１００は電流に敏感なデバイスであるため、電流はデバイスに損傷を与えずに必要な光の出力を得られるように制御される必要がある。例において、ＯＬＥＤ１００及びレジスタ（図示せず）などの電流制限デバイスを直列回路構成で配置することができる。より高電位の電圧がアノード１０４に最も近い回路に印加され、直列回路の他方の端部はより低電位に接続される。電位差は、ＯＬＥＤ１００のしきい値電圧を十分に克服するほど高くなければならない。ＯＬＥＤ１００と直列の抵抗、又はＯＬＥＤ及びレジスタの両端間に印加される電圧のいずれかを調整することによって、所与の応用例に必要な光の出力を生成するように電流を設定することができる。
【００５７】
[0071]  多くの設計について、より低い電位が接地レベルで設定され、より高い電位は正電源である。単純なレジスタの代わりに、図３に示されるような電流シンクＣＳが使用される。電流シンクＣＳは電気分野の熟練者にとって周知であり、分岐を通って流れる電流を制御するためにアクティブ回路を使用する。このように、動作は、供給電圧の変化又はＯＬＥＤ１００の変化に対してそれほど敏感ではない。
【００５８】
[0072]  引き続き図３を参照すると、前述のように、ＯＬＥＤ駆動回路１５０は、ＯＬＥＤマトリクス１００Ｍ内の各ＯＬＥＤ１００が個別にアクティブ化できるように構成される。例えば、位置１１でＯＬＥＤ１００をアクティブ化するために、電圧入力ＶＢ１に正電圧が印加され、接地電位（即ち接地Ｇ）は電流シンクＣＳ１に接続され、スイッチＳＲ１はオンにされ（即ち閉じられ）、スイッチＳＧ１もオンにされる。これにより電流は、左端の矢印ＡＲによって示されるように、ＶＢ１の正電圧から、スイッチＳＲ１を通り、位置１１のＯＬＥＤ１００を通り、電流シンクＣＳ１を通り、スイッチＳＧ１を通った後、接地Ｇへと流れることになる。
【００５９】
[0073]  同じ行ｒ内の複数のＯＬＥＤ１００は同時にアクティブ化することができる。スイッチＳＲ１がアクティブな間、スイッチＳＧ１からＳＧ８のいずれか又はすべてがアクティブ化可能である。このように、ＯＬＥＤ１００が選択的に点灯されるように、スイッチＳＧ１からＳＧ８をアクティブ化する間に、スイッチＳＲ１からＳＲ６を一度に１つアクティブ化することによって、ＯＬＥＤディスプレイ１６０全体を一度に１つの行ｒでアクティブ化することが可能である。電流シンクＣＳ１からＣＳ８は単一のＯＬＥＤ１００が必要な電流に設定されているため、複数の行ｒを同時にアクティブ化することはできないことに留意されたい。ＯＬＥＤ１００の２つの行ｒがアクティブ化された場合、アクティブ化された列ｃ内のそれらのＯＬＥＤへの電流は、単一の行内のＯＬＥＤをアクティブ化するために必要な電流の半分になる。これにより、ＯＬＥＤ１００から発せられる光の量が減少することになる。
【００６０】
[0074]  スーパー・ピクセルを備えるＯＬＥＤディスプレイ
【００６１】
[0075]  図４Ａは、本明細書で開示されるＯＬＥＤディスプレイ２６０の一部としてのＯＬＥＤ駆動回路２５０の概略図である。ＯＬＥＤ駆動回路２５０は、修正された共通アノード回路構成を有する。図示されていない別の実施形態では、ＯＬＥＤ駆動回路２５０は類似の修正された共通カソード構成を有することができる。共通アノード構成は前述のようないくつかの利点を有し、本明細書では例としてそのように図示及び考察される。
【００６２】
[0076]  ＯＬＥＤディスプレイ２６０は、ＯＬＥＤ１００の８×６マトリクス１００Ｍを含み、破線は隣接するＯＬＥＤのグループ化を示し、各グループ化は本明細書で「スーパー・ピクセル」３００と呼ばれるものを定義しており、所与のスーパー・ピクセル内の各ＯＬＥＤ１００はそのスーパー・ピクセルに対するサブピクセルを構成する。例示のＯＬＥＤ駆動回路２５０は共通アノード構成を有するが、半数のスイッチＳＧ及び半数の電流シンクＣＳを有する。
【００６３】
[0077]  行ｒ及び列ｃによって定義される電気接続又はワイヤは、各スーパー・ピクセル３００内のＯＬＥＤ１００がまとめてアクティブ化することのみが可能なように、即ち、ＯＬＥＤがもはや個別にアドレスできないように、配置構成される。図４Ａの例示のＯＬＥＤ駆動回路２５０において、行ｒ１及びｒ２が電気的に接続され、行ｒ３及びｒ４が電気的に接続され、行ｒ５及びｒ６が電気的に接続される。同様に、列ｃ１及びｃ２が電気的に接続され、列ｃ３及びｃ４が電気的に接続され、列ｃ５及びｃ６が電気的に接続され、列ｃ７及びｃ８が電気的に接続される。
【００６４】
[0078]  ＯＬＥＤ駆動回路２５０に対するこの構成を用いると、位置１１、１２、２１、及び２２でのＯＬＥＤ１００は電気的に並列に接続され、個別ではなくまとめてアクティブ化される。ＯＬＥＤのセット又はグループ｛１１、１２、２１、２２｝として示すことが可能なこれらの４つのＯＬＥＤ１００が、スーパー・ピクセル３００を形成することになる。したがって、図３のＯＬＥＤディスプレイ２６０の４×３配置構成を定義する１２個のスーパー・ピクセル３００は、｛１１、１２、２１、２２｝、｛１３、１４、２３、２４｝、｛１５、１６、２５、２６｝、｛１７、１８、２７、２８｝、｛３１、３２、４１、４２｝、｛３３、３４、４３、４４｝、｛３５、３６、４５、４６｝、｛３７、３８、４７、４８｝、｛５１、５２、６１、６２｝、｛５３、５４、６３、６４｝、｛５５、５６、６５、６６｝、及び｛５７、５８、６７、６８｝の、ＯＬＥＤのセット又はグループ、即ちサブピクセルによって定義される。
【００６５】
[0079]  図４ＡのＯＬＥＤディスプレイ２６０のスーパー・ピクセル３００は、図３の従来のＯＬＥＤディスプレイ１６０のＯＬＥＤピクセルの４倍の大きさである。例において、所与のスーパー・ピクセル３００内の各ＯＬＥＤ１００（サブピクセル）はほぼ同様の電気的特徴及び視覚的特徴（例えばほぼ同様の発光波長）を有し、並列に接続された場合、電流を共有することができる。別の例において、所与のスーパー・ピクセル３００内のＯＬＥＤ１００は、異なる発光波長などの、少なくとも１つの実質上異なる特徴を有することができる。
【００６６】
[0080]  ＯＬＥＤディスプレイ２６０のＯＬＥＤマトリクス１００Ｍに対するスーパー・ピクセル構成を用いると、ＯＬＥＤ駆動回路２５０内のアクティブな電気構成要素の数は、図３の従来のＯＬＥＤ駆動回路１５０に比べて減少する。図４Ａに示された例において、ＯＬＥＤ駆動回路２５０は、正電源に対するスイッチＳＲが６個から３個へ、電流シンクＣＳが８個から４個へ、更に接地スイッチＳＧが８個から４個へと減じられる。全体として、アクティブな制御要素の数は２２個から１１個に減じられている。このアクティブな制御要素の削減は、ＯＬＥＤディスプレイ２６０のサイズに対応する。
【００６７】
[0081]  一般的に言えば、図３に示されたようなピクセルとしてｐ×ｑのＯＬＥＤ１００を含む従来のＯＬＥＤディスプレイ１６０の場合、アクティブな電気構成要素の「従来の」数ＮＣは、ＮＣ＝２ｐ＋ｑによって与えられる。したがって、図３の例示のＯＬＥＤディスプレイ１６０の場合、ｐ＝８及びｑ＝６であるため、ＮＣ＝２（８）＋６＝２２である。ｍ×ｎのスーパー・ピクセル３００を含むＯＬＥＤディスプレイ２６０の場合、アクティブな電気構成要素の数ＮＳＰはＮＳＰ＝２ｍ＋ｎであり、図４Ａの４×３の例ではＮＳＰ＝２（４）＋３＝１１である。アクティブな電気構成要素の数の削減又は変化Δは、Δ＝ＮＣ−ＮＳＰによって与えられ、この例の場合Δ＝１１であり、アクティブな電気構成要素の数が５０％削減されることを表す。
【００６８】
[0082]  図４Ａの例示のＯＬＥＤマトリクス１００Ｍにおける各アクティブ化されたスーパー・ピクセル３００は、個別のＯＬＥＤピクセルの４倍の大きさであるため、正のスイッチＳＲ、電流シンクＣＳ、及び接地スイッチＳＧのすべての容量は、４倍の電流量を処理する必要がある。しかしながらアクティブな制御要素は、電力容量の拡縮が実質的なコスト要因ではないように賢明に選択することができる。
【００６９】
[0083]  図４Ｂは図４Ａと同様であり、スーパー・ピクセル３００が８×２のＯＬＥＤ１００を含む、ＯＬＥＤ駆動回路２５０及びＯＬＥＤディスプレイ２６０の別の例を示す。この場合、行ｒ１及びｒ２が電気的に接続され、行ｒ３及びｒ４が電気的に接続され、行ｒ５及びｒ６が電気的に接続される一方で、列ｃ１、ｃ２、及びｃ３が電気的に接続され、列ｃ４、ｃ５、及びｃ６が電気的に接続される。このようにして、６つのスーパー・ピクセル３００は、｛１１、１２、１３、１４、２１、２２、２３、２４｝、｛１５、１６、１７、１８、２５、２６、２７、２８｝、｛３１、３２、３３、３４、４１、４２、４３、４４｝、｛３５、３６、３７、３８、４５、４６、４７、４８｝、｛５１、５２、５３、５４、６１、６２、６３、６４｝、｛５５、５６、５７、５８、６５、６６、６７、６８｝の、ＯＬＥＤのセット又はグループ、即ちサブピクセルによって定義される。次にこれらのＯＬＥＤ１００のセットは電気的に並列に接続され、まとめてアクティブ化されるため、２×３の配置構成を有する６つのスーパー・ピクセル３００を定義する。
【００７０】
[0084]  図４Ｂの例に対するアクティブな電気構成要素の数は、ＮＳＰ＝２ｎ＋ｍ＝２（２）＋３＝７によって与えられるため、アクティブな電気構成要素の数の削減は、Δ＝２２−７＝１５、即ち約６８％の削減となる。
【００７１】
[0085]  図４Ｂの例における各スーパー・ピクセル３００は、ＯＬＥＤ１００によって定義される個々のサブピクセルの８倍の大きさであるため、正のスイッチＳＲ、電流シンクＣＳ、及び接地スイッチＳＧのすべての容量は、８倍の電流量を処理する必要がある。図３に関連して上記で述べたように、アクティブな制御要素は、電力容量の拡縮が実質的なコスト要因ではないように賢明に選択することができる。
【００７２】
[0086]  一般に、本明細書で開示されるＯＬＥＤ駆動回路２５０は、各スーパー・ピクセルについてｉ個の隣接列及びｊ個の隣接行を電気的に接続することによって、ｉ×ｊのＯＬＥＤ１００からなるスーパー・ピクセル３００を定義するように構成される。任意の妥当な数のＯＬＥＤ１００を使用して、スーパー・ピクセル３００を構成することが可能であり、例において可能な最小のスーパー・ピクセルは２×２である。例において、スーパー・ピクセル３００のサイズは高精細解像度を有するＯＬＥＤディスプレイ２６０に基づいて選択される。例示の高解像度ＯＬＥＤディスプレイ２６０は、本明細書で開示されるＯＬＥＤ駆動回路２５０によって定義されるように、例えば１２８０×７２０のスーパー・ピクセル３００又は１９２０×１０８０のスーパー・ピクセルを有することができる。
【００７３】
[0087]  図５は、例示のモジュール８０の一部のクローズアップ図であり、各スーパー・ピクセル３００が赤（Ｒ）、緑（Ｇ）、及び青（Ｂ）のＯＬＥＤ１００を含むことから、スーパー・ピクセルはカラー・ピクセルであり、ＯＬＥＤディスプレイ２６０はカラー・ディスプレイである。スーパー・ピクセル３００は、前述のような他の色とすることもできる。
【００７４】
[0088]  カラー・スーパー・ピクセルを備えるモジュール
【００７５】
[0089]  図６Ａは、階層化構造に配置構成されたＲ、Ｇ、及びＢのモノクロ・モジュールを示す、例示のカラー・モジュール８０Ｃの立体分解図である。Ｒ、Ｇ、及びＢのモノクロ・モジュール８０Ｒ、８０Ｇ、及び８０Ｂは、それぞれ１００Ｒ、１００Ｇ、及び１００Ｂと示された、それぞれＲ、Ｇ、及びＢのＯＬＥＤ１００を含む。モノクロ・モジュール８０に対して、他の色（例えば白Ｗ、黄Ｙ、オレンジＯ、シアンＣ、及びマゼンタＭ）が使用可能であり、ここでは単なる例示のため、並びにＲ、Ｇ、及びＢが一般的な表示カラーであるため、Ｒ、Ｇ、及びＢの色が選択されている。
【００７６】
[0090]  Ｒ、Ｇ、及びＢモノクロームＯＬＥＤディスプレイ２６０Ｒ、２６０Ｇ、及び２６０Ｂは、それぞれがＯＬＥＤ１００Ｒ、１００Ｇ、及び１００Ｂで構成された、それぞれのスーパー・ピクセル３００Ｒ、３００Ｇ、及び３００Ｂを含む。図６Ａに示された例では、クローズアップ挿入図に示されるように、スーパー・ピクセル３００Ｒ、３００Ｇ、及び３００Ｂは各々４×３である。
【００７７】
[0091]  Ｒ、Ｇ、及びＢのスーパー・ピクセル３００Ｒ、３００Ｇ、及び３００Ｂは同時にアクティブ化される必要がないことに留意されたい。例において、赤のスーパー・ピクセル３００Ｒなどのスーパー・ピクセル３００のうちの１つは、すべての並列に駆動可能である一方で、Ｇ及びＢのスーパー・ピクセル３００Ｇ及び３００Ｂなどの他のスーパー・ピクセルは、個別に駆動可能である。一例において、Ｒ、Ｇ、及びＢのスーパー・ピクセル３００Ｒ、３００Ｇ、及び３００Ｂは同時にアクティブ化され、即ち同時に駆動される。
【００７８】
[0092]  図６Ｂは、図６Ａの例示のカラー・モジュール８０Ｃの一部のクローズアップ断面図である。階層化構造は、個々のモノクロ・モジュール８０Ｒ、８０Ｇ、及び８０Ｂがほぼ透明であるという事実によって可能となる。ＯＬＥＤディスプレイ２６０は、スクリーニングされた電子回路プロセスを使用して形成され、同じ電気的刺激が与えられるほぼ同一の光出力特徴を個々のＯＬＥＤが有し得る。ＯＬＥＤディスプレイ２６０は、最終応用範囲のニーズに応じて、異なる解像度、カラー、及びサイズで、並びに他の特徴を備えて市販されている。
【００７９】
[0093]  モノクロームの赤、緑、及び青のモジュール８０Ｒ、８０Ｇ、及び８０Ｂは、それぞれのスーパー・ピクセル３００Ｒ、３００Ｇ、及び３００Ｂが、一般にＺ方向にカラー・モジュール８０Ｃの上面８１Ｃを介してＲ、Ｇ、及びＢの光を発するように構成される。例において、スーパー・ピクセル３００Ｒ、３００Ｇ、及び３００Ｂは、図に示されるようにｘ−ｙ平面内でオフセットされる。例において、スーパー・ピクセル３００Ｒ、３００Ｇ、及び３００Ｂのトリプレットはカラー・スーパー・ピクセル３００Ｃを定義する。図６Ｃは、カラー・モジュール８０Ｃの例示のカラー・スーパー・ピクセル３００Ｃの立体分解図である。
【００８０】
[0094]  暗色スーパー・ピクセル又は暗色ＯＬＥＤを備えるＯＬＥＤディスプレイ
【００８１】
[0095]  図７Ａは、１８×１３構成の２３４個のスーパー・ピクセル３００で構成される例示のモジュール８０のフロントオン図である。モジュール８０は、それぞれ３００ｅａ、３００ｅｂ、３００ｅｃ、及び３００ｅｄとして示された、エッジ・スーパー・ピクセル３００ｅが常駐する、外部エッジ８２ａ、８２ｂ、８２ｃ、及び８２ｄを含む。図７Ｂは図７Ａと同様であり、エッジ・スーパー・ピクセル３００ｅを非アクティブ又は暗色のスーパー・ピクセルとして示している。図７Ｃは、暗色エッジ・スーパー・ピクセル３００ｅａ、３００ｅｂ、３００ｅｃ、及び３００ｅｄを有する、図７Ｂのモジュール８０で構成された、例示のパネル７０を示す。図７Ｄは図７Ｃと同様であり、隣接モジュール８０について、エッジ・スーパー・ピクセル３００ｅの１つの行及び／又は列のみが暗色スーパー・ピクセルである例を示している。
【００８２】
[0096]  図８Ａは、２つの隣接モジュール８０、及びモジュール間に常駐するシーム８４を示す、例示のパネル７０のクローズアップ、フロントオン図である。モジュール８０は各々、４×３構成のスーパー・ピクセル３００を含む。図８Ａでは、説明しやすいようにエッジ・スーパー・ピクセル３００ｅのみが示されている。例示のパネル７０では、シーム８４を定義するエッジ・スーパー・ピクセル３００ｅｃ及び３００ｅａについて、エッジ・スーパー・ピクセル中で最縁部のＯＬＥＤ１００が非アクティブ又は暗色のスーパー・ピクセルである。したがって、エッジ・スーパー・ピクセル３００ｅのすべてのＯＬＥＤ１００を暗色にする（結果としてエッジ・スーパー・ピクセル全体が暗色になる）のではなく、１００ｅｃ及び１００ｅａとして示されるエッジＯＬＥＤのみが暗色又は非アクティブである。これと同じ技法が水平のシーム８４に使用可能であり、対応するエッジＯＬＥＤ１００ｅｄ及び１００ｅｂが非アクティブとなることに留意されたい。
【００８３】
[0097]  図８Ｂは図８Ａと同様であり、各エッジ・スーパー・ピクセル３００ｅのすべてのエッジＯＬＥＤ１００ｅが暗色である例を示す。例において、エッジ・スーパー・ピクセル３００ｅのみではなく、各モジュール８０内のいくつか又はすべてのスーパー・ピクセル３００で、それらのエッジＯＬＥＤ１００ｅのすべてが暗色である。例として、図８Ｂでは２つの非エッジ・スーパー・ピクセル３００が示されている。一般に、各モジュール８０には多数の構成が使用可能であり、スーパー・ピクセル３００の１つ以上で、それらのエッジＯＬＥＤ１００ｅのいくつか及びすべてが暗色である。
【００８４】
[0098]  非アクティブ又は暗色のエッジＯＬＥＤ１００ｅは、ＯＬＥＤをＯＬＥＤ駆動回路２５０内の行ｒ又は列ｃに接続しないことによって形成可能である。別の例において、非アクティブ又は暗色のエッジＯＬＥＤ１００ｅは、それらを行ｒ及び列ｃに電気的に接続するが、回路コントローラ２５４がエッジＯＬＥＤを認識し、選択エッジＯＬＥＤの発光を防止するのに好適なバンク電圧ＶＢを提供する（例えばエッジＯＬＥＤを介して電流が流れるのを防止するようにバンク電圧ＶＢを高く保持する）ようにプログラミングすることによって、形成可能である。同様に、隣接モジュールのスーパー・ピクセルの隣に常駐していないスーパー・ピクセル３００のみを選択的にアクティブ化するように、回路コントローラ２５４をプログラミングすることによって、所与のモジュール８０のエッジ・スーパー・ピクセル３００ｅ全体を暗色にすることができる。図７Ｄのケースでは、シーム８４に隣接して常駐するエッジ・スーパー・ピクセル３００ｅの１つの列ｃ又は行ｒのみが非アクティブであることを保証するように、回路コントローラ２５４をプログラミングすることができる。
【００８５】
[0099]  図９Ａは、４×４のスーパー・ピクセル３００を用いて、ＯＬＥＤ１００の６４×４８のＯＬＥＤマトリクス１００Ｍを有する、例示のモジュール８０のフロントオン概略図であり、結果としてモジュールは１６×１２のスーパー・ピクセルを有することになる。モジュール８０は、非アクティブ又は暗色であり、いずれのスーパー・ピクセル３００にも属さない、エッジＯＬＥＤ１００ｅ又はエッジ・サブピクセル（即ち、１００ｅａ、１００ｅｂ、１００ｅｃ、及び１００ｅｄ）を含む。例示のモジュール８０は、エッジＯＬＥＤ１００ｅａ、１００ｅｂ、１００ｅｃ、及び１００ｅｄのうちの少なくとも１つを暗色又は非アクティブなエッジＯＬＥＤとして有する（即ち、モジュールは１つ以上の暗色エッジ８２ａ、８２ｂ、８２ｃ、及び８２ｄを有する）。
【００８６】
[00100]  図９Ｂは、左側モジュールのエッジＯＬＥＤ１００ｅｃ及び右側モジュールのエッジＯＬＥＤ１００ｅａが非アクティブ又は暗色であり、これらのエッジＯＬＥＤはどちらもスーパー・ピクセル３００のいずれにも属していない、２つの隣接モジュール８０の一部のクローズアップ図である。例において、暗色エッジＯＬＥＤ１００ｅは、ＯＬＥＤ駆動回路２５０に電気的に接続されていないことによって暗色又は非アクティブである。
【００８７】
[00101]  暗色エッジ・ピクセル３００ｅを有する理由の１つは、ＯＬＥＤディスプレイ２６０の全体解像度を向上させることである。典型的には、ＯＬＥＤディスプレイ２６０を構成するモジュール８０はガラス基板上に形成される。いくつかの例において、ガラス基板の厚みは、ディスプレイ・イメージが表示される時に、隣接モジュール８０間のシーム８４に望ましくない視覚効果を生じさせる、照明問題を発生させる。その結果、シーム８４又は隣接モジュール８０間のインターフェースで、エッジ・スーパー・ピクセル３００ｅ又はエッジＯＬＥＤ１００ｅのいずれかから発光させないことが有利であり得る。
【００８８】
[00102]  当業者であれば、添付の特許請求の範囲に定義されるような本開示の趣旨又は範囲を逸脱することなく、本明細書で説明するような本開示の好ましい実施形態に対する様々な修正が実行可能であることが明らかとなろう。したがって本開示は、添付の特許請求の範囲及びそれらの等価物の範囲内で提供される修正及び変形をカバーしている。
【図１】
0006297533.tif 000002
【図２Ａ】
0006297533.tif 000003
【図２Ｂ】
0006297533.tif 000004
【図３】
0006297533.tif 000005
【図４Ａ】
0006297533.tif 000006
【図４Ｂ】
0006297533.tif 000007
【図５】
0006297533.tif 000008
【図６Ａ】
0006297533.tif 000009
【図６Ｂ】
0006297533.tif 000010
【図６Ｃ】
0006297533.tif 000011
【図７Ａ】
0006297533.tif 000012
【図７Ｂ】
0006297533.tif 000013
【図７Ｃ】
0006297533.tif 000014
【図７Ｄ】
0006297533.tif 000015
【図８Ａ】
0006297533.tif 000016
【図８Ｂ】
0006297533.tif 000017
【図９Ａ】
0006297533.tif 000018
【図９Ｂ】
0006297533.tif 000019